(57)【要約】【課題】側壁部２ａが外側に傾斜したテーパー角を有する合成樹脂製の内カップ２を、側壁部３ａが同様のテーパー角を有する紙製の外カップ３内に嵌め込んで接着した二重容器１について、側壁部１ａの剛性を高めると共に断熱性を向上させ、熱い飲料などにも使いやすい二重容器１を提供する。【解決手段】内カップ２の側壁部２ａのテーパー角を５〜３０度とし、しかも内カップ２の側壁部２ａに、上下方向に上記テーパー角に沿った階段状をなす複数のリブ４を、隣接するリブ４間の高低差をｈ、各リブの幅（縦方向寸法）をｗとしたときに、ｈ＝０．３〜０．５ｍｍで、ｔａｎθ≧ｈ／ｗを満たすように、周方向に連続して形成する。【選択図】      図１
2004189269.tif 000002
【特許請求の範囲】
【請求項１】
側壁部が外側に傾斜したテーパー角を有する合成樹脂製の内カップを、側壁部が同様のテーパー角を有する紙製の外カップ内に嵌め込んで接着した二重容器において、内カップの側壁部のテーパー角が５〜３０度で、しかも内カップの側壁部に、上下方向に上記テーパー角に沿った階段状をなす複数のリブが周方向に連続して形成されており、隣接するリブ間の高低差をｈ、各リブの幅（縦方向寸法）をｗとしたときに、ｈ＝０．３〜０．５ｍｍで、ｔａｎθ≧ｈ／ｗであることを特徴とする二重容器。
【請求項２】
内カップと外カップの接着が、左右の辺がそれぞれ同径で外側に凸の半円、上下辺が互いに平行な直線で形成された横長の長円形をなす単位パターンを千鳥状に配列した付設パターンの接着剤を介して、内カップと外カップの側壁部同志間で行われていることを特徴とする請求項１に記載の二重容器。
【請求項３】
単位パターンの横寸法をａ、縦寸法をｂ、横ピッチをｐ、縦ピッチをｑとしたときに、ｂ＝３〜４ｍｍ、ａ≧ｐ、ａ≧ｑであることを特徴とする請求項２に記載の二重容器。
【発明の詳細な説明】
【０００１】
【発明の属する技術分野】
本発明は、側壁部が外側に傾斜したテーパー角を有する合成樹脂製の内カップを、側壁部が同様のテーパー角を有する紙製の外カップ内に嵌め込んで接着した二重容器に関する。
【０００２】
【従来の技術】
従来、主に紙を主材料とした簡易容器として、側壁部に階段状凹凸を形成した容器の外側に外装紙を巻き付け、容器と外装紙の間に、階段状凹凸による隙間を形成することで、熱い飲料を入れた場合にも熱が表面に伝わりにくくして持ちやすくしたものが知られている（例えば、特許文献１参照）。
【０００３】
【特許文献１】
実願平３−１５１０２号（実開平４−１０６２１７号）のマイクロフィルム
【０００４】
【発明が解決しようとする課題】
ところで、合成樹脂製の内カップを紙製の外カップ内に嵌め込んで接着した二重容器においては、コストの低減、廃棄物量の低減などのために、内カップ外カップ共に薄くなっており、側壁部の剛性が乏しく、持ちにくい問題がある。特に内カップは、薄い合成樹脂フィルムの圧空又は真空成形品で、紙製の外容器より更に変形しやすいことから、製造装置で外容器内に嵌め込んで接着する際の取り扱い性も悪いという問題もある。また、通常、内カップの側壁部は平坦であり、外カップの側壁部内面に密着することから、内容物の熱が外カップの表面に伝わりやすく、上記剛性が乏しいことと相俟って、熱い飲料などについては極めて使いにくい問題がある。
【０００５】
本発明は、上記従来の問題点に鑑みてなされたもので、側壁部が外側に傾斜したテーパー角を有する合成樹脂製の内カップを、側壁部が同様のテーパー角を有する紙製の外カップ内に嵌め込んで接着した二重容器について、側壁部の剛性を高めると共に断熱性を向上させ、熱い飲料などにも使いやすい二重容器を提供することを目的とする。
【０００６】
【課題を解決するための手段】
上記目的のために、本発明は、側壁部が外側に傾斜したテーパー角を有する合成樹脂製の内カップを、側壁部が同様のテーパー角を有する紙製の外カップ内に嵌め込んで接着した二重容器において、内カップの側壁部のテーパー角が５〜３０度で、しかも内カップの側壁部に、上下方向に上記テーパー角に沿った階段状をなす複数のリブが周方向に連続して形成されており、隣接するリブ間の高低差をｈ、各リブの幅（縦方向寸法）をｗとしたときに、ｈ＝０．３〜０．５ｍｍで、ｔａｎθ≧ｈ／ｗであることを特徴とする二重容器を提供するものである。
【０００７】
また、本発明は、内カップと外カップの接着が、左右の辺がそれぞれ同径で外側に凸の半円、上下辺が互いに平行な直線で形成された横長の長円形をなす単位パターンを千鳥状に配列した付設パターンの接着剤を介して、内カップと外カップの側壁部同志間で行われていること、及び、単位パターンの横寸法をａ、縦寸法をｂ、横ピッチをｐ、縦ピッチをｑとしたときに、ｂ＝３〜４ｍｍ、ａ≧ｐ、ａ≧ｑであることを好ましい態様として含むものである。
【０００８】
【発明の実施の形態】
以下、図面に基づいて本発明に係る二重容器の一例を説明する。
【０００９】
図１は本発明に係る二重容器の一例を示す縦断面図、図２は内カップのリブ部分の一部を示す拡大断面図、図３は内カップと外カップを接着する接着剤の付設パターンの説明図である。
【００１０】
図１に示されるように、本発明に係る二重容器１は、それぞれ側壁部２ａ，３ａと底部２ｂ，３ｂを有する合成樹脂製の内カップ２と紙製の外カップ３とから構成されている。
【００１１】
内カップ２は、例えばポリエステル（ＰＥＴ、ＰＥＮなど）、ポリエチレン、ポリプロピレンなどの合成樹脂フィルムを用いた圧空成形や真空成形などにより一体成形されたものであるのが通常である。内カップ２の厚さは、薄いことが好ましいが、必要な側壁部２ａの剛性を得る上で、ポリエステル、ポリエチレンについては０．２ｍｍ以上、ポリプロピレンについては０．３ｍｍ以上であることが好ましい。また、外カップ３は、紙を主材料とする筒状の側壁部３ａの下端を内側上方に折り返すと共に、同様の材料で構成された円盤状の底部３ｂの周縁部を下側に折り返し、底部３ｂの折り返し片を側壁部３ａの折り返し片と側壁部３ａとの間に挟み込んで一体化したものであるのが通常である。
【００１２】
内カップ２は、一回り大きい外カップ３内に嵌め込まれ、両者は接着剤で接着されて一体化されている。内カップ２と外カップ３の側壁部２ａ，３ａは、それぞれ外側に傾斜したほぼ等しいテーパー角を有しており、両者が重なって二重容器１の側壁部１ａを二重に形成している。また、内カップ２と外カップの底部２ｂ，３ｂも、両者が重なって、二重容器１の底部１ｂを二重に構成している。
【００１３】
内カップ２の側壁部２ａの上下方向の中間部には、上下方向に階段状をなす複数のリブ４が周方向に連続して形成されている。
【００１４】
上記リブ４は、内カップ２の側壁部２ａを補強し、二重容器１の側壁部１ａの剛性を高めると共に、内カップ２と外カップ３の側壁部２ａ，３ａ間に隙間を形成して、二重容器１の側壁部１ａの断熱性を向上させるためのもので、手に持たれることが多い領域である、少なくとも側壁部２ａの上下方向中間部に設けることが好ましい。また、内カップ２の表面に、外カップ３と接着しやすい平坦な領域を残しておくために、リブ４を形成する領域は、内カップ１の側壁部１ａの上下方向の一部とすることが好ましい。
【００１５】
リブ４の形状は、上記のように上下方向に階段状をなすものであるが、図２に示すように、内カップ２の側壁部２ａのテーパー角（外カップ３のテーパー角とほぼ同一）をθとしたときに、階段状をなすリブ４の連なりがなす傾斜角もほぼθであり、リブ４はテーパー角θに沿った階段状をなすものである。このテーパー角θは、外カップ３内に内カップを嵌め合わせて組み立てる際の内カップ２の良好な機械処理適性と、手での持ちやすさとを得る上で、通常、５〜３０度である。
【００１６】
リブ４は、隣接するリブ４間の高低差をｈ、各リブ４の幅（リブ４の縦方向寸法）をｗとしたときに、ｈ＝０．３〜０．５ｍｍで、ｔａｎθ≧ｈ／ｗとなっているものである。高低差ｈが大きすぎると、内カップ２の機械処理適性が低下し、内カップ２を外カップ３へ機械で嵌め合わせる際のトラブルを生じやすくなる。高低差ｈが小さすぎると、リブ４による補強効果及び断熱効果が不十分となる。また、幅ｗは、ｔａｎθ≧ｈ／ｗを満たす範囲で定めることができるが、リブ４による十分な補強効果が得られるようにする上で、ｔａｎθ＝ｈ／ｗとなるように定めることが好ましい。ｔａｎθ＝ｈ／ｗを満たすようにすると、図２に示されるように、垂直片４ａと水平片４ｂが交互に形成されたリブ４とすることができ、特に水平片４ｂが形成されることで、側壁部２ａを内側へ押し潰す力に対する抵抗力を増大させることができる。
【００１７】
内カップ２と外カップ３は接着剤で接着されているものであるが、図１及び図３に示されるように、接着剤が、左右の辺がそれぞれ同径で外側に凸の半円、上下辺が互いに平行な直線で形成された横長の長円形をなす単位パターン５を千鳥状に配列した付設パターンで付設され、内カップ２の側壁部２ａと外カップ３の側壁部間が接着されていることが好ましい。このような付設パターンで接着剤を付設すると、少ない接着剤の付設量にて内カップ２の側壁部２ａと外カップ３の側壁部３ａを強固に接着することができ、二重容器１の側壁部１ａの剛性を高めることができる。
【００１８】
上記接着剤の付設は、通常、内カップ２の側壁部２ａ外周面に対して行われるが、図３に示されるように、上記単位パターン５の横寸法をａ、縦寸法をｂ、横ピッチをｐ、縦ピッチをｑとしたときに、ｂ＝３〜４ｍｍ、ａ≧ｐ、ａ≧ｑとなるように付設することが好ましい。このようにすると、内カップ２の側壁部２ａと外カップ３の側壁部３ａの強固な接着を維持しつつ、接着剤の使用量の節減を図りやすくなる。
【００１９】
【実施例】
実施例１、比較例１
厚さ０．３ｍｍのポリエステル製の内カップと、紙製の外カップをワイミュラー社製ＣＢＵ−ＤＥＳ機にかけて二重容器を作成した。
【００２０】
内カップの側壁部には、上下方向中間部やや上寄りに、全体の高さの約１／２分の範囲に亘って、図１及び図２に示すようなリブを形成した。また、表１に示すように、内カップのテーパー角θを変えると共に（同時に外カップのテーパー角も変更）、内カップの側壁部に形成したリブの高低差ｈを変え、リブの幅ｗをｔａｎθ＝ｈ／ｗを満たすように定めた。各内カップを用いて二重容器の作成を行い、機械処理適性、断熱効果、側壁部剛性をそれぞれ評価した。各評価方法及び評価基準は下記の通りである。
【００２１】
機械処理適性：組み立て加工中の状態を観察し、組み立て加工中にトラブルが発生したものを×、組み立て加工中にトラブルが生じなかったものを○とした。
【００２２】
断熱効果：作成した二重容器に８０℃のお湯を８分目ほど入れ、１分経過後に手で持ち、そのまま持ち続けるには熱すぎたものを×、熱は感じるが支障なく持ち続けることができたものを○とした。
【００２３】
側壁部剛性：上記断熱効果の評価時に、側壁部だけを掴んで持ち上げた場合に変形しやすかったものを×、側壁部だけを掴んで持ち上げても変形しにくかったものを○とした。
【００２４】
【表１】
2004189269.tif 000003
【００２５】
【発明の効果】
本発明は、以上説明したとおりのものであり、側壁部が外側に傾斜したテーパー角を有する合成樹脂製の内カップを、側壁部が同様のテーパー角を有する紙製の外カップ内に嵌め込んで接着した二重容器について、側壁部の剛性を高めると共に断熱性を向上させることができ、熱い飲料などにも使いやすい二重容器を提供することができるものである。
【図面の簡単な説明】
【図１】本発明に係る二重容器の一例を示す縦断面図である。
【図２】内カップのリブ部分の一部を示す拡大断面図である。
【図３】内カップと外カップを接着する接着剤の付設パターンの説明図である。
【符号の説明】
１    二重容器
１ａ  二重容器の側壁部
１ｂ  二重容器の底部
２    内カップ
２ａ  内カップの側壁部
２ｂ  内カップの底部
３    外カップ
３ａ  外カップの側壁部
３ｂ  外カップの底部
４    リブ
４ａ  リブの垂直片
４ｂ  リブの水平片
５    単位パターン
【図１】
2004189269.tif 000004
【図２】
2004189269.tif 000005
【図３】
2004189269.tif 000006